(57)【要約】      （修正有）【課題】支柱を構成する筒状部材が抜けにくいタープテント用支柱を提供する。【解決手段】本考案に係るタープテント用支柱は、第１先端部３１を有する第１の筒状部材３と、第１先端部に嵌合可能な第２先端部４１を有する第２の筒状部材４と、第１先端部の内周側に設けられる第１の磁石Ｍ１と、第２先端部の内周側に設けられ、且つ、第１の磁石に吸着可能な第２の磁石Ｍ２または金属部材と、を備える。【選択図】図５
0003234352.tif 000002
【実用新案登録請求の範囲】
【請求項１】
第１先端部を有する第１の筒状部材と、
前記第１先端部に嵌合可能な第２先端部を有する第２の筒状部材と、
前記第１先端部の内周側に設けられる第１の磁石と、
前記第２先端部の内周側に設けられ、且つ、前記第１の磁石に吸着可能な第２の磁石または金属部材と、を備える、
タープテント用支柱。
【考案の詳細な説明】
【技術分野】
【０００１】
本考案は、タープテント用支柱に関する。
【背景技術】
【０００２】
例えば、キャンプにおいて使用されるタープテントが公知である（例えば、特許文献１参照）。特許文献１のタープテントでは、シートを支柱によって支えている。当該支柱は、複数の筒状部材の先端部同士を嵌合させることにより組み立てられる。
【先行技術文献】
【特許文献】
【０００３】
【特許文献１】特開平１１−９３４６２号公報
【考案の概要】
【考案が解決しようとする課題】
【０００４】
例えば、シートが風で煽られた場合などにおいては、組み付けた筒状部材が抜けやすくなるという問題がある。
【０００５】
本考案の目的は、支柱を構成する筒状部材が抜けにくいタープテント用支柱を提供することである。
【課題を解決するための手段】
【０００６】
前述した課題を解決し、目的を達成するために、本考案の一態様に係るタープテント用支柱は、第１先端部を有する第１の筒状部材と、前記第１先端部に嵌合可能な第２先端部を有する第２の筒状部材と、前記第１先端部の内周側に設けられる第１の磁石と、前記第２先端部の内周側に設けられ、且つ、前記第１の磁石に吸着可能な第２の磁石または金属部材と、を備える。
【考案の効果】
【０００７】
本考案によれば、支柱を構成する筒状部材が抜けにくいタープテント用支柱を提供することができる。
【図面の簡単な説明】
【０００８】
【図１】図１は、実施形態によるタープテントの斜視図である。
【図２】図２は、図１の支柱における嵌合部分を拡大した斜視図である。
【図３】図３は、第１の筒状部材を先端部側から見た斜視図である。
【図４】図４は、第２の筒状部材を先端部側から見た斜視図である。
【図５】図５は、第１の筒状部材と第２の筒状部材とを組み付け始めた状態の断面を示す模式図である。
【図６】図６は、第１の筒状部材と第２の筒状部材との組み付けが完了した状態の断面を示す模式図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。
【００１０】
図１は、実施形態によるタープテントの斜視図である。図２は、図１の支柱における嵌合部分を拡大した斜視図である。図３は、第１の筒状部材を先端部側から見た斜視図である。図４は、第２の筒状部材を先端部側から見た斜視図である。図５は、第１の筒状部材と第２の筒状部材とを組み付け始めた状態の断面を示す模式図である。図６は、第１の筒状部材と第２の筒状部材との組み付けが完了した状態の断面を示す模式図である。
【００１１】
図１に示すように、タープテント１００は、テント１と、支柱２（タープテント支柱）と、を備える。地面には、ペグ１１が打ち込んである。テント１の角部は、ロープ１０を介してペグ１１に連結される。また、テント１は、支柱２によって支持される。支柱２は、上下方向に延びて、上端部でテント１を支持する。支柱２は、複数の筒状部材同士を連結して組み立てられる。
【００１２】
図２から図５に示すように、実施形態に係る支柱２は、第１の筒状部材３と、第２の筒状部材４と、を備える。第１の筒状部材３における先端には、第１先端部３１が設けられる。第２の筒状部材４の先端には、第２先端部４１が設けられる。第２先端部４１は、第１先端部３１と嵌合可能である。以下、図５を参照して、第１の筒状部材３および第２の筒状部材４の構造を説明する。図５において、Ｘ方向は、支柱２の軸方向であり、Ｙ方向は、支柱２の径方向である。図５において、第１の筒状部材３はＸ２側（図５の右側）に位置し、第２の筒状部材４はＸ１側（図５の左側）に位置する。
【００１３】
第１の筒状部材３は、第１先端部３１と、本体部３２と、を有する。第１先端部３１は、第１の筒状部材３におけるＸ１側の先端に設けられる。第１先端部３１は、円筒形状を有する。第１先端部３１は、先端面３１ａと、外周面３１ｂと、内周面３１ｃと、段差部３１ｄと、を有する。先端面３１ａは、第１先端部３１におけるＸ１側の先端に設けられる。先端面３１ａは、後述する第２先端部４１の段差部４１ｄに当接可能である。段差部３１ｄは、外周面３１ｂにおけるＸ２側の端から径方向外側に延びる。
【００１４】
本体部３２は、外周面３２ａと、内周面３２ｂと、を有する。本体部３２の内周面３２ｂは、第１先端部３１の内周面３１ｃと面一である。本体部３２の外周面３２ａは、第１先端部３１の外周面３１ｂよりも径方向外側に位置する。すなわち、本体部３２の外周面３２ａは、第１先端部３１の外周面３１ｂよりも径が大きい円筒である。本体部３２の外周面３２ａは、段差部３１ｄを介して、第１先端部３１の外周面３１ｂと連結される。第１先端部３１の内周側には、第１の磁石Ｍ１が設けられる。具体的には、第１先端部３１の内周面３１ｃに取付部材３３が固定され、取付部材３３のＸ１側に第１の磁石Ｍ１が固定される。第１の磁石Ｍ１の先端面Ｍ１ａは、第１先端部３１の先端面３１ａと、Ｘ方向の位置が同じである。
【００１５】
ここで、第１の磁石Ｍ１の取付構造について説明する。図３に示すように、第１の磁石Ｍ１は、磁石本体１００と、外周側取付体１１０と、内周側取付体１２０と、を有する。磁石本体１００、外周側取付体１１０および内周側取付体１２０は、円筒形状を有する。磁石本体１００は、脆性が低いため、金属製の外周側取付体１１０および内周側取付体１２０に組み付けたのち、ボルト１３０を介して取付部材３３（図５参照）に締結（固定）される。
【００１６】
第２の筒状部材４は、第２先端部４１と、本体部４２と、を有する。第２先端部４１は、第２の筒状部材４におけるＸ２側の先端に設けられる。第２先端部４１は、円筒形状を有する。第２先端部４１は、先端面４１ａと、外周面４１ｂと、内周面４１ｃと、段差部４１ｄと、を有する。先端面４１ａは、第２先端部４１におけるＸ２側の先端に設けられる。先端面４１ａは、第１先端部３１の段差部３１ｄに当接可能である。段差部４１ｄは、内周面４１ｃにおけるＸ１側の端から径方向内側に延びる。
【００１７】
本体部４２は、外周面４２ａと、内周面４２ｂと、を有する。本体部４２の外周面４２ａは、第２先端部４１の外周面４１ｂと面一である。本体部４２の内周面４２ｂは、第２先端部４１の内周面４１ｃよりも径方向内側に位置する。すなわち、本体部４２の内周面４２ｂは、第２先端部４１の内周面４１ｃよりも径が小さい。本体部４２の内周面４２ｂは、段差部４１ｄを介して、第２先端部４１の内周面４１ｃと連結される。なお、第１の筒状部材３の第１先端部３１の外径は、第２の筒状部材４の第２先端部４１の内径よりもわずかに小さい。これにより、第１先端部３１を第２先端部４１の内周に嵌めることができる。
【００１８】
本体部４２の内周側には、第２の磁石Ｍ２が設けられる。具体的には、本体部４２の内周面４２ｂに取付部材４３が固定され、取付部材４３のＸ２側に第２の磁石Ｍ２が固定される。第２の磁石Ｍ２の先端面Ｍ２ａは、段差部４１ｄと、Ｘ方向の位置が同じである。
【００１９】
ここで、第２の磁石Ｍ２の取付構造について説明する。図４に示すように、第２の磁石Ｍ２は、磁石本体２００と、外周側取付体２１０と、内周側取付体２２０と、を有する。磁石本体２００、外周側取付体２１０および内周側取付体２２０は、円筒形状を有する。磁石本体２００は、脆性が低いため、金属製の外周側取付体２１０および内周側取付体２２０に組み付けたのち、ボルト２３０を介して取付部材４３（図５参照）に締結（固定）される。なお、第２の磁石Ｍ２に替えて、第１の磁石Ｍ１に吸着可能な金属部材を適用することもできる。
【００２０】
次に、図５および図６を参照して、第１の筒状部材３と第２の筒状部材４とを組み付ける手順を簡単に説明する。
【００２１】
図５に示すように、まず、第１の筒状部材３の第１先端部３１を第２の筒状部材４の第２先端部４１の内周に嵌める。このとき、第１の磁石Ｍ１と第２の磁石Ｍ２とは、一定距離だけ離隔している。そして、図５の矢印Ｄで示すように、第１の筒状部材３をＸ１側に移動させる。すると、第１先端部３１の外周面３１ｂは、第２先端部４１の内周面４１ｃをスライドする。その際、第１の磁石Ｍ１が第２の磁石Ｍ２に近づくにつれて、第１の磁石Ｍ１が第２の磁石Ｍ２に引き寄せられるため、作業者が第１の筒状部材３をＸ１側に移動させる力が徐々に小さくなる。
【００２２】
そして、第１の筒状部材３をさらにＸ１側に移動させると、図６に示すように、第１先端部３１の先端面３１ａが第２先端部４１の段差部４１ｄに当接し、第１の筒状部材３と第２の筒状部材４との組付けが完了する。この状態では、図６のように、第１の磁石Ｍ１の先端面Ｍ１ａと第２の磁石Ｍ２の先端面Ｍ２ａとは当接していてもよいが、Ｘ方向に離隔していてもよい。
【００２３】
以上説明したように、実施形態に係る支柱（タープテント支柱）２は、第１先端部３１を有する第１の筒状部材３と、第１先端部３１に嵌合可能な第２先端部４１を有する第２の筒状部材４と、第１先端部３１の内周側に設けられる第１の磁石Ｍ１と、第２先端部４１の内周側に設けられ、且つ、第１の磁石Ｍ１に吸着可能な第２の磁石Ｍ２または金属部材と、を備える。
【００２４】
第１の筒状部材３と第２の筒状部材４とが組み付いた状態では、第２の磁石Ｍ２または金属部材と、第１の磁石Ｍ１とは、互いに吸着される。従って、本考案によれば、第１の筒状部材３と第２の筒状部材４とに対して、互いに遠ざかる方向の力が加わった場合でも、第２の磁石Ｍ２または金属部材と、第１の磁石Ｍ１との吸着力によって、第１の筒状部材３および第２の筒状部材４が外れにくいメリットがある。なお、前述したように、第１の筒状部材３と第２の筒状部材４との組付作業工程において、第１の磁石Ｍ１が第２の磁石Ｍ２に近づくにつれて、第１の磁石Ｍ１が第２の磁石Ｍ２に引き寄せられるため、作業者が第１の筒状部材３を第２の筒状部材４側に移動させる力が徐々に小さくなるというメリットも有する。
【符号の説明】
【００２５】
２  支柱（タープテント支柱）
３  第１の筒状部材
４  第２の筒状部材
３１  第１先端部
４１  第２先端部
Ｍ１  第１の磁石
Ｍ２  第２の磁石
【図１】
0003234352.tif 000003
【図２】
0003234352.tif 000004
【図３】
0003234352.tif 000005
【図４】
0003234352.tif 000006
【図５】
0003234352.tif 000007
【図６】
0003234352.tif 000008